(57)【要約】【課題】挿入損失を少なくかつ小型化すること。【解決手段】発光素子と、受光素子と、第一の光ファイバに固定されるフェルールを有するとともに第一の光ファイバからの入射光を平行ビームに変えるボールレンズを有する第一の光ファイバ接続部と、第二の光ファイバに固定されるフェルールを有するとともにボールレンズを有する第二の光ファイバ接続部と、第一の波長の光のみを反射する第一のフィルタ、第二の波長の光のみを透過し、発光素子からの出射光を第一の光ファイバ接続部へ反射する第二のフィルタ、第二のフィルタを透過した第二の波長の光を受光素子に向かって反射する反射膜を有し、第一の光ファイバ接続部と同軸上に配置される第一のプリズムと、第一のプリズムの第一のフィルタにて反射された第一の波長の光を第二の光ファイバ接続部に向かって反射する第二のプリズムとを備えた。【選択図】      図１
2004354908.tif 000002
【特許請求の範囲】
【請求項１】
コリメートレンズを有するパッケージに納めた発光素子と、
ボールレンズを有するパッケージに納めた受光素子と、
第一の光ファイバに固定されるフェルールを有するとともに前記第一の光ファイバからの入射光を平行ビームに変えるボールレンズを有する第一の光ファイバ接続部と、
第二の光ファイバに固定されるフェルールを有するとともにボールレンズを有する第二の光ファイバ接続部と、
第一の波長の光のみを反射する第一のフィルタ、第二の波長の光のみを透過し、前記発光素子からの出射光を前記第一のレセプタクルへ反射する第二のフィルタ、前記第二のフィルタを透過した前記第二の波長の光を前記受光素子に向かって反射する反射膜を有し、前記第一の光ファイバ接続部と同軸上に配置される第一のプリズムと、
前記第一のプリズムの第一のフィルタにて反射された前記第一の波長の光を前記第二の光ファイバ接続部に向かって反射する第二のプリズムと
を備えたことを特徴とする双方向光通信モジュール。
【請求項２】
コリメートレンズを有するパッケージに納めた発光素子と、
ボールレンズを有するパッケージに納めた第一の受光素子と、
ボールレンズを有するパッケージに納めた第二の受光素子と、
光ファイバに固定されるフェルールを有するとともに前記光ファイバからの入射光を平行ビームに変えるボールレンズを有する光ファイバ接続部と、
第一の波長の光のみを前記第二の受光素子に向かって反射する第一のフィルタ、第二の波長の光のみを透過し、前記発光素子からの出射光を前記光ファイバ接続部へ反射する第二のフィルタ、前記第二のフィルタを透過した前記第二の波長の光を前記第一の受光素子に向かって反射する反射膜を有し、前記光ファイバ接続部と同軸上に配置される第一のプリズムと、
前記第一のプリズムの第一のフィルタにて反射された前記第一の波長の光を前記第二の受光素子に向かって反射する第二のプリズムと
を備えたことを特徴とする双方向光通信モジュール。
【請求項３】
請求項１記載の双方向光通信モジュールにおいて、
前記発光素子のコリメートレンズは、前記発光素子からの出射光を平行ビームに変え、
前記第一の光ファイバ接続部のボールレンズは、前記発光素子からの出射光を前記第一の光ファイバに結合させる
ことを特徴とする双方向光通信モジュール。
【請求項４】
請求項２記載の双方向光通信モジュールにおいて、
前記発光素子のコリメートレンズは、前記発光素子からの出射光を平行ビームに変え、
前記第一の光ファイバ接続部のボールレンズは、前記発光素子からの出射光を前記光ファイバに結合させる
ことを特徴とする双方向光通信モジュール。
【請求項５】
請求項１記載の双方向光通信モジュールにおいて、
前記受光素子が、ボールレンズを有するパッケージに納めた複数の受光素子により構成され、
前記第一のプリズムは、第一の波長の光のみを反射する第一のフィルタと、第二の波長ないし第ｎの波長の光を透過し、前記発光素子からの出射光を前記第一の光ファイバ接続部へ反射する発光素子用のフィルタと、前記発光素子用のフィルタを透過した前記第二の波長ないし第ｎの波長の光を個別に前記複数の受光素子に向かって順次反射する複数の受光素子用のフィルタとで構成されている
ことを特徴とする双方向光通信モジュール。
【請求項６】
請求項２記載の双方向光通信モジュールにおいて、
前記第一の受光素子が、ボールレンズを有するパッケージに納めた複数の受光素子により構成され、
前記第一のプリズムは、第一の波長の光のみを反射する第一のフィルタと、第二の波長ないし第ｎの波長の光を透過し、前記発光素子からの出射光を前記光ファイバ接続部へ反射する発光素子用のフィルタと、前記発光素子用のフィルタを透過した前記第二の波長ないし第ｎの波長の光を個別に前記複数の受光素子に向かって順次反射する複数の受光素子用のフィルタとで構成されている
ことを特徴とする双方向光通信モジュール。
【発明の詳細な説明】
【０００１】
【発明の属する技術分野】
本発明は、光ファイバ、発光素子、受光素子、多層膜フィルタ、集光レンズなどを用いた光通信などに用いられる複数波の双方向の光通信モジュールに関する。
【０００２】
【従来の技術】
従来、光ファイバ通信システムにおいて、例えば、電話通信などの光加入者系システムに双方向の光送受信モジュールが用いられている（例えば、特許文献１、特許文献２など参照）。
例えば、ＰＯＴＳ（Ｐｌａｉｎ  Ｏｌｄ  Ｔｅｌｅｐｈｏｎｅ  Ｓｅｒｖｉｃｅ）サービス（例えば、電話サービスなど）の低速通信サービス、ビデオ信号などの伝送を主とする高速通信サービスを提供するシステムが知られている。
【０００３】
その一例を図１３に示す。
双方向の光送受信モジュール１００は、１芯の光ファイバ１０１と、発光素子（ＬＤ）１０３を有するボールレンズ１０４付きＬＤ−ＣＡＮ１０２と、受光素子（ＰＤ）１０６を有するボールレンズ１０７付きＰＤ−ＣＡＮ１０５と、多層膜フィルタ１０８とを金属製筐体１０９で固定した構造になっている。
【０００４】
そして、双方向の光送受信モジュール１００には、光ファイバ１０１がコネクタ１１０を介して固定し、光ファイバ１００を介して送受信される光は、フェルール１１１を介して入射，出射されるようになっている。
また、双方向の光送受信モジュール１００に接続される光ファイバ１０１には、外部に設置されたＷＤＭカプラ１２０が接続されている。
【０００５】
ＷＤＭカプラ１２０には、例えば、内部にフィルタ１２１を挟んで２つのＧｒｉｎレンズ１２３，１２４が設けてある。
そして、ＷＤＭカプラ１２０では、例えば、局側から送られてくる双方向通信用の１４９０ｎｍの光と、双方向通信用とは異なる非通信用の映像信号に用いられる１５５０ｎｍの光とが１芯の光ファイバ１２５に多重化されて到来すると、Ｇｒｉｎレンズ１２３において、１５５０ｎｍの光のみを光ファイバ１２６を介してビデオなどの映像信号受信装置へ射出し、１４９０ｎｍの光のみをＧｒｉｎレンズ１２３、フィルタ１２１およびＧｒｉｎレンズ１２４を透過して光ファイバ１０１を介して双方向の光送受信モジュール１００に射出する。
【０００６】
一方、双方向の光送受信モジュール１００から双方向通信用の１３１０ｎｍの光が到来すると、ＷＤＭカプラ１２０では、１３１０ｎｍの光をＧｒｉｎレンズ１２４、フィルタ１２１およびＧｒｉｎレンズ１２３を透過して１芯の光ファイバ１２５を介して局側へ射出する。
以上のように、双方向の光送受信モジュール１００にＷＤＭカプラ１２０を光ファイバ１０１を介して接続することにより、双方通信用の２波の光と、これらとは異なる波長の非通信用の光とに対応することが可能となる。
【０００７】
【特許文献１】
特開２０００−１８０６７１号公報
【特許文献２】
特開２００１−２４９２５４号公報
【０００８】
【発明が解決しようとする課題】
しかし、図１３に示す従来の双方向光通信モジュール１００では、外部にＷＤＭカプラ１２０を接続するため、挿入損失が大きく発生するという問題がある。特に、複数波では顕著である。
また、外部に設置するＷＤＭカプラ１２０を実装するための領域が必要となり、実装の制約となり、小型化の妨げとなっていた。
さらに、双方向光通信モジュール１００とＷＤＭカプラ１２０を接続する光ファイバ１０１と、局側とＷＤＭカプラ１２０とを接続する光ファイバ１２５と、外部装置とＷＤＭカプラ１２０とを接続する光ファイバ１２６とを必要とし、これらの余長処理が困難となるという問題があった。
【０００９】
さらにまた、双方向光通信モジュール１００の他にＷＤＭカプラ１２０が必要となり、部品点数の増加とこれに起因するコストアップという問題があった。
本発明は斯かる従来の問題点を解決するために為されたもので、その目的は、挿入損失が少なく小型化が可能な双方向光通信モジュールを提供することにある。
【００１０】
【課題を解決するための手段】
請求項１に係る発明は、コリメートレンズを有するパッケージに納めた発光素子と、ボールレンズを有するパッケージに納めた受光素子と、第一の光ファイバに固定されるフェルールを有するとともに前記第一の光ファイバからの入射光を平行ビームに変えるボールレンズを有する第一の光ファイバ接続部と、第二の光ファイバに固定されるフェルールを有するとともにボールレンズを有する第二の光ファイバ接続部と、第一の波長の光のみを反射する第一のフィルタ、第二の波長の光のみを透過し、前記発光素子からの出射光を前記第一の光ファイバ接続部へ反射する第二のフィルタ、前記第二のフィルタを透過した前記第二の波長の光を前記受光素子に向かって反射する反射膜を有し、前記第一の光ファイバ接続部と同軸上に配置される第一のプリズムと、前記第一のプリズムの第一のフィルタにて反射された前記第一の波長の光を前記第二の光ファイバ接続部に向かって反射する第二のプリズムとを備えたことを特徴とする。
【００１１】
請求項２に係る発明は、コリメートレンズを有するパッケージに納めた発光素子と、ボールレンズを有するパッケージに納めた第一の受光素子と、ボールレンズを有するパッケージに納めた第二の受光素子と、光ファイバに固定されるフェルールを有するとともに前記光ファイバからの入射光を平行ビームに変えるボールレンズを有する光ファイバ接続部と、第一の波長の光のみを前記第二の受光素子に向かって反射する第一のフィルタ、第二の波長の光のみを透過し、前記発光素子からの出射光を前記光ファイバ接続部へ反射する第二のフィルタ、前記第二のフィルタを透過した前記第二の波長の光を前記第一の受光素子に向かって反射する反射膜を有し、前記光ファイバ接続部と同軸上に配置されるプリズムと、前記第一のプリズムの第一のフィルタにて反射された前記第一の波長の光を前記第二の受光素子に向かって反射する第二のプリズムとを備えたことを特徴とする。
【００１２】
請求項３に係る発明は、請求項１記載の双方向光通信モジュールにおいて、前記発光素子のコリメートレンズは、前記発光素子からの出射光を平行ビームに変え、前記第一の光ファイバ接続部のボールレンズは、前記発光素子からの出射光を前記第一の光ファイバに結合させることを特徴とする。
請求項４に係る発明は、請求項２記載の双方向光通信モジュールにおいて、前記発光素子のコリメートレンズは、前記発光素子からの出射光を平行ビームに変え、前記光ファイバ接続部のレセプタクルのボールレンズは、前記発光素子からの出射光を前記光ファイバに結合させることを特徴とする。
【００１３】
請求項５に係る発明は、請求項１記載の双方向光通信モジュールにおいて、前記受光素子が、ボールレンズを有するパッケージに納めた複数の受光素子により構成され、前記第一のプリズムは、第一の波長の光のみを反射する第一のフィルタと、第二の波長ないし第ｎの波長の光を透過し、前記発光素子からの出射光を前記第一の光ファイバ接続部へ反射する発光素子用のフィルタと、前記発光素子用のフィルタを透過した前記第二の波長ないし第ｎの波長の光を個別に前記複数の受光素子に向かって順次反射する複数の受光素子用のフィルタとで構成されていることを特徴とする。
【００１４】
請求項６に係る発明は、請求項２記載の双方向光通信モジュールにおいて、前記第一の受光素子が、ボールレンズを有するパッケージに納めた複数の受光素子により構成され、前記第一のプリズムは、第一の波長の光のみを反射する第一のフィルタと、第二の波長ないし第ｎの波長の光を透過し、前記発光素子からの出射光を前記光ファイバ接続部へ反射する発光素子用のフィルタと、前記発光素子用のフィルタを透過した前記第二の波長ないし第ｎの波長の光を個別に前記複数の受光素子に向かって順次反射する複数の受光素子用のフィルタとで構成されていることを特徴とする。
【００１５】
【発明の実施の形態】
以下、本発明を図面に示す実施形態に基づいて説明する。
図１および図２は、本発明の第一実施形態に係る双方向光通信モジュールを示す（請求項１，請求項３に対応）。
本実施形態に係る双方向光通信モジュール１は、２波長の双方向通信用の光（１３１０ｎｍ、１４９０ｎｍ）と、これらと異なる波長の非通信用の映像用の光（１５５０ｎｍ）とを１本の光ファイバに多重化して利用される光ファイバ通信システムに適用される。
【００１６】
本実施形態に係る双方向の光送受信モジュール１は、例えばＳＵＳなどの金属製筐体２に、コリメートレンズ４を有するパッケージ５に納めた発光素子（ＬＤ）３と、ボールレンズ７を有するパッケージ８に納めた受光素子（ＰＤ）６と、フェルール１０およびボールレンズ１１を有する第一のレセプタクル（光ファイバ接続部）９と、フェルール１３およびボールレンズ１４を有する第二のレセプタクル（光ファイバ接続部）１２と、第一のレセプタクル９と同軸上に配置される第一のプリズム１５と、第二のプリズム１６とを組み付けることによって構成されている。
【００１７】
発光素子３は、金属製筐体２に設けた穴部３ａに組み付けられ、光軸調整を行った後に、ＹＡＧレーザ溶接により固定される（隅肉溶接）。
受光素子６は、金属製筐体２に設けた穴部３ｂに組み付けられ、光軸調整を行った後に、ＵＶ系の接着剤などで仮固定され、強度確保のためにエポキシ樹脂系の接着剤などで本固定される。
【００１８】
第一のレセプタクル９は、金属製筐体２に設けた穴部３ｃに組み付けられ、光軸調整を行った後に、ＹＡＧレーザ溶接により固定される（隅肉溶接）。
第二のレセプタクル１２は、金属製筐体２に設けた穴部３ｄに組み付けられ、光軸調整を行った後に、ＹＡＧレーザ溶接により固定される（隅肉溶接）。
第一のプリズム１５は、金属製筐体３に設けた穴部３ａ、穴部３ｂおよび穴部３ｃが交差する面３ｅに、第一のレセプタクル９のボールレンズ１０の光軸を一致させてＵＶ系の接着剤で固定される。
【００１９】
第二のプリズム１６は、金属製筐体３に設けた穴部３ａ、穴部３ｃおよび穴部３ｆを結ぶ穴部３ｇに、第二のレセプタクル１２のボールレンズ１４の光軸を一致させてＵＶ系の接着剤で固定される。
発光素子３のコリメートレンズ４は、発光素子３からの出射光を平行ビームに変えることができる。
【００２０】
第一のレセプタクル９に設けたボールレンズ１１は、第一の光ファイバ２０からの入射光を平行ビームに変えるとともに、発光素子３からの出射光を第一の光ファイバ２０に結合させることができる。
第一のプリズム１５は、第一の波長（１５５０ｎｍ）の光のみを反射する第一のフィルタ１５ａと、第二の波長（１４９０ｎｍ）の光のみを透過し、発光素子３からの出射光（１３１０ｎｍの光）を第一のレセプタクル９へ反射する第二のフィルタ１５ｂと、第二のフィルタ１５ｂを透過した第二の波長（１４９０ｎｍ）の光を受光素子６に向かって反射する反射膜１５ｃとを有し、第一のフィルタ１５ａの前後に板ガラス１５ｄ，１５ｅを貼り付けた第一の波長用のプリズム１５Ａを構成し、第二のフィルタ１５ｂの前後に板ガラス１５ｆ，１５ｇを貼り付け、さらに板ガラス１５ｇの端面に反射膜１５ｃを貼り付けた双方向用のプリズム１５Ｂを構成している。そして、第一の波長用のプリズム１５Ａと双方向用のプリズム１５Ｂとは、例えばマッチングオイルなどの接合剤１５Ｃによって接合されている。
【００２１】
第二のプリズム１６は、第一のプリズム１５で反射された第一の波長（１５５０ｎｍ）の光を第二のレセプタクル１２に向かって反射する反射膜１６ａの前後に板ガラス１６ｂ，１６ｃを貼り付けることによって構成されている。
第一のレセプタクル９には、局側に接続される第一の光ファイバ２０がコネクタを介して接続される。この際、第一のレセプタクル９のフェルール１０が第一の光ファイバ２０に固定される。
【００２２】
第二のレセプタクル１２には、ビデオなどの映像信号受信装置に接続される第二の光ファイバ２１がコネクタを介して接続される。
次に、図３により本実施形態に係る双方向の光送受信モジュール１の組立方法について説明する。
先ず、第一のプリズム１５を、金属製筐体２の内部に形成した面３ｅに、第一のレセプタクル９のボールレンズ１１の光軸を一致させてＵＶ系の接着剤で固定する。
【００２３】
次に、第二のプリズム１６を、金属製筐体３に設けた穴部３ｆに、第二のレセプタクル１２のボールレンズ１４の光軸を一致させてＵＶ系の接着剤で固定する。
次に、第一のレセプタクル９を、金属製筐体２に設けた穴部３ｃに組み付け、同時に、発光素子３を、金属製筐体２に設けた穴部３ａに組み付ける。
【００２４】
次に、第一のレセプタクル９と発光素子３とを同時に光軸調整を行った後、それぞれＹＡＧレーザ溶接により固定する（隅肉溶接）。
次に、受光素子６を、金属製筐体２に設けた穴部３ｂに組み付け、光軸調整を行った後、ＵＶ系の接着剤などで仮固定し、次いで強度確保のためにエポキシ樹脂系の接着剤などで本固定する（熱硬化）。
【００２５】
次に、第二のレセプタクル１２を、金属製筐体２に設けた穴部３ｄに組み付け、光軸調整を行った後、ＹＡＧレーザ溶接により固定する（隅肉溶接）。
以上により、本実施形態に係る双方向の光送受信モジュール１を完成させる。次に、斯くして構成された本実施形態に係る双方向の光送受信モジュール１の作用を説明する。
【００２６】
本実施形態では、第一のレセプタクル９には、局側へ接続する光ファイバ２０がコネクタを介して接続され、第二のレセプタクル１２には、ビデオなどの映像信号受信装置に接続される第二の光ファイバ２１がコネクタを介して接続されている。
先ず、送信について説明する。
【００２７】
発光素子３から射出された１３１０ｎｍの光は、図４に示すように、コリメートレンズ４により平行ビームにし、第二のフィルタ１５ｂで反射後、第一のレセプタクル９のボールレンズ１１によって第一の光ファイバ２０に結合される。
次に、受信について説明する。
第一の光ファイバ２０を介して局側から送られてくる双方向通信用の１４９０ｎｍと非通信用の１５５０ｎｍの光は、第一のレセプタクル９のボールレンズ１１によって平行ビームに変えられる。
【００２８】
そして、１４９０ｎｍの光は、図５に示すように、第一のプリズム１５の第一のフィルタ１５ａおよび第二のフィルタ１５ｂを透過し、第一のプリズム１５内を移動し、端面に設けた反射膜１５ｃにて受光素子６に向かって反射し、ボールレンズ７を介して受光素子６で受光される。
一方、１５５０ｎｍの光は、図６に示すように、第一のプリズム１５の反射膜１５ａにて第二のプリズム１６に向かって反射し、第二のプリズム１６にて第二のレセプタクル１２のボールレンズ１４によって第二の光ファイバ２１に結合される。
【００２９】
以上のように、本実施形態に係る双方向の光送受信モジュール１によれば、双方向用の１４９０ｎｍ、１３１０ｎｍについては、従来の双方向の光送受信モジュールと同様に送受信が行われ、非通信用の１５５０ｎｍの光については、ＷＤＭカプラを用いずに、第二のレセプタクル１２に、ビデオなどの映像信号受信装置に接続される第二の光ファイバ２１がコネクタを介して接続するだけで、ビデオなどの映像信号受信装置に射出することが可能となる。
【００３０】
次に、本発明の第二実施形態に係る双方向光通信モジュール３０を示す（請求項５に対応）。
本実施形態に係る双方向光通信モジュール３０は、図７に示すように、４つの受光素子６１，６２，６３，６４とこれら４つの受光素子６１，６２，６３，６４に受光できる波長の光を反射するフィルタ１５１，１５２，１５３および反射膜１５４を設けた第一のプリズム１５１とを設けた点で、第一実施形態に係る双方向光通信モジュール１とは相違する。
【００３１】
４つの受光素子６１，６２，６３，６４は、図１および図２における受光素子６と同様に、ボールレンズ７を有するパッケージ８に納められている。また、受光素子６と同様に、金属製筐体２に設けた穴部３ｂに組み付けられ、光軸調整を行った後に、ＵＶ系の接着剤などで仮固定され、強度確保のためにエポキシ樹脂系の接着剤などで本固定されている。
【００３２】
第一のプリズム１５１は、図１および図２に示す第一のプリズム１５と同様に、第一の波長（１５５０ｎｍ）の光のみを反射する第一のフィルタ１５ａと、第二の波長（１４７０ｎｍ）、第三の波長（１４９０ｎｍ）、第四の波長（１５１０ｎｍ）、第五の波長（１５３０ｎｍ）の光を透過し、発光素子３からの出射光（１３１０ｎｍの光）を第一のレセプタクル９へ反射する第二のフィルタ１５ｂと、第二のフィルタ１５ｂを透過した光の内で第二の波長（１４７０ｎｍ）の光のみを受光素子６１に向かって反射する第三のフィルタ１５１と、第三のフィルタ１５ｂを透過した光の内で第三の波長（１４９０ｎｍ）の光のみを受光素子６２に向かって反射する第四のフィルタ１５２と、第四のフィルタ１５１を透過した光の内で第四の波長（１５１０ｎｍ）の光のみを受光素子６３に向かって反射する第五のフィルタ１５３と、第五のフィルタ１５２を透過した第五の波長（１５１０ｎｍ）の光を受光素子６４に向かって反射する反射膜１５４とを有する。
【００３３】
なお、第一のプリズム１５１の構成は、第一のプリズム１５と同様であり、第一のフィルタ１５ａの前後に板ガラス（図示せず）を貼り付けた第一の波長用のプリズム１５Ａを構成し、第二のフィルタ１５ｂ〜第五フィルタ１５３の前後に板（図示せず）を貼り付け、さらに最後の板ガラスの端面に反射膜１５４を貼り付けた双方向用のプリズム１５Ｂを構成している。そして、第一の波長用のプリズム１５Ａと双方向用のプリズム１５Ｂとは、例えばマッチングオイルなどの接合剤１５Ｃによって接合されている。
【００３４】
本実施形態によれば、送信および第一の波長（１５５０ｎｍ）の受信については、第一実施形態と同様に行われる。
なお、受信において、受信すべき波長の光が第二の波長（１４７０ｎｍ）〜第四の波長（１５３０ｎｍ）と異なるため、それに応じて４つの受信素子６１，６２，６３，６４を用いて個別に行うが、４つの受信素子６１，６２，６３，６４における受信のメカニズムは第一実施形態と同じである。
【００３５】
以上のように、本実施形態においても第一実施形態と同様の作用効果を奏することができる。
なお、本実施形態では、４つの異なる波長の光を受光する場合について説明したが、異なる波長の光の個数は２つ以上であれば任意である。
次に、本発明の第三実施形態に係る双方向光通信モジュール４０を示す（請求項２，請求項４に対応）。
【００３６】
本実施形態に係る双方向光通信モジュール４０は、図８〜図１１に示すように、非通信用の第一の波長（１５５０ｎｍ）を外部に射出せず、内部に非通信用の第一の波長（１５５０ｎｍ）を受信する受光素子６Ａを設けて点で、第一実施形態に係る双方向光通信モジュール１とは相違する。
本実施形態においては、発光素子３と並列するように、第一実施形態における第二のプリズム１６に対して直角に折れ曲がった領域に受光素子６Ａを設け、第一実施形態における第二のレセプタクル１２を取り付ける穴部３ｄに蓋部材１２Ａが設けてある。
【００３７】
そのため、第二のプリズム１６では、反射膜１６ａの向きが、第一実施形態における第二のプリズム１６とは異なっている。すなわち、第一実施形態における第二のプリズム１６の反射膜１６ａは、穴部３ｃの軸心に沿って光を反射するように構成されているが、本実施形態では、第二のプリズム１６の反射膜１６ａは、穴部３ｃと直交する穴部３ｆの軸心に沿って光を反射するように構成されている。従って、本実施形態では、第二のプリズム１６の反射膜１６ａは、受光素子６を組み付ける穴部３ｂの軸心と平行に光を反射することとなる。
【００３８】
その結果、本実施形態においては、図１２に示すように、第一のレセプタクル９から射出された非通信用の第一の波長（１５５０ｎｍ）の光は、第一のプリズム１５の第一のフィルタ１５ａにて第二のプリズム１６に向かって反射され、さらに第二のプリズム１６において受光素子６Ａに向かって反射され、ボールレンズ７Ａを介して受光素子６Ａで受光することが可能となる。
【００３９】
以上のように、本実施形態においては、非通信用の第一の波長（１５５０ｎｍ）の光を取り込むことが可能となる。
なお、本実施形態においても、第二実施形態のように、４つの受光素子６１，６２，６３，６４とこれら４つの受光素子６１，６２，６３，６４に受光できる波長の光を反射するフィルタ１５１，１５２，１５３および反射膜１５４を設けた第一のプリズム１５１とを設けることも可能である（請求項６に対応）。
【００４０】
【発明の効果】
以上のように、本発明によれば、ＷＤＭカプラを用いることなく２波長の双方向通信用の光とこれらと異なる波長の非通信用の映像用などの光とを１本の光ファイバに多重化して利用される光ファイバ通信システムに適用される双方向光通信モジュールを提供することが可能となる。
そのため、本発明によれば、結合回数の減少に伴い光の挿入損失が低減し、実装領域の制限が無くなり小型化された複数波の双方向光通信モジュールを実現できる。
【００４１】
また、部材の共通化が可能となり、部材点数の削減によるコストダウンが容易に可能となる。
さらに、平行光を利用することにより、キーデバイスである受光素子、発光素子を平行に並べることが可能となり、実装が容易となる。
【図面の簡単な説明】
【図１】本発明の第一実施形態に係る双方向光通信モジュールの縦断面図である。
【図２】本発明の第一実施形態に係る双方向光通信モジュールの横断面図である。
【図３】本発明の第一実施形態に係る双方向光通信モジュールの組立手順を示す説明図である。
【図４】本発明の第一実施形態に係る双方向光通信モジュールの発光素子からの送信状況を示す説明図である。
【図５】本発明の第一実施形態に係る双方向光通信モジュールの受信状況を示す説明図である。
【図６】本発明の第一実施形態に係る双方向光通信モジュールの非通信用の光をポートアウトする説明図である。
【図７】本発明の第二実施形態に係る双方向光通信モジュールを示す横断面図である。
【図８】本発明の第三実施形態に係る双方向光通信モジュールの縦断面図である。
【図９】本発明の第三実施形態に係る双方向光通信モジュールの横断面図である。
【図１０】本発明の第三実施形態に係る双方向光通信モジュールの縦断面図である。
【図１１】本発明の第三実施形態に係る双方向光通信モジュールの横断面図である。
【図１２】本発明の第三実施形態に係る双方向光通信モジュールの非通信用の光の受信状況を示す説明図である。
【図１３】従来の双方向光通信モジュールを示す説明図である。
【符号の説明】
１，３０，４０  双方向光通信モジュール
２  金属製筐体
３  受光素子
４  コリメートレンズ
５  パッケージ
６  受光素子
７  ボールレンズ
８  パッケージ
９  第一のレセプタクル（光ファイバ接続部）
１０，１３  フェルール
１１，１４  ボールレンズ
１２  第二のレセプタクル（光ファイバ接続部）
１５  第一のプリズム
１６  第二のプリズム
２０  第一の光ファイバ
２１  第二の光ファイバ
【図１】
2004354908.tif 000003
【図２】
2004354908.tif 000004
【図３】
2004354908.tif 000005
【図４】
2004354908.tif 000006
【図５】
2004354908.tif 000007
【図６】
2004354908.tif 000008
【図７】
2004354908.tif 000009
【図８】
2004354908.tif 000010
【図９】
2004354908.tif 000011
【図１０】
2004354908.tif 000012
【図１１】
2004354908.tif 000013
【図１２】
2004354908.tif 000014
【図１３】
2004354908.tif 000015